(57)【特許請求の範囲】
【請求項１】
口部（３）を有する容器本体（２）と、
前記口部（３）と螺合する蓋周壁部（３４）を有しかつ口部（３）の開口（７）を塞ぐように口部（３）に着脱自在に螺合する蓋体（４）と、
前記口部（３）に軸方向に不動のまま周方向に回動可能に嵌合保持され、かつ回動するときに蓋体（４）を同伴回動する回転リング体（６）とが備えられ、
前記回転リング体（６）は口部（３）に螺合した蓋周壁部（３４）を外嵌するように口部（３）と略同一高さに形成され、
前記口部（３）と蓋周壁部（３４）との間に、前記蓋周壁部（３４）を螺合により回転リング体（６）内に後退させ、螺合解除により回転リング体（６）内から外方へ突出させるネジ機構（１１）が設けられ、
前記回転リング体（６）と蓋周壁部（３４）との間に、同伴回動するときに蓋体（４）を回転リング体（６）に対して上下動自在に連結し、かつ蓋体（４）を螺合解除したときに蓋体（４）を回転リング体（６）に対して口部（３）を開閉する方向に揺動自在に連結する開閉ヒンジ（５）が設けられていることを特徴とする容器。
【請求項２】
前記口部（３）の外周に沿って係止部（９）が形成され、前記回転リング体（６）に係合部（１０）が形成され、前記回転リング体（６）が口部（３）に対して軸方向に不動のままでかつ抜け止めされるように前記係止部（９）に係合部（１０）が係合されていることを特徴とする請求項１に記載の容器。
【請求項３】
前記口部（３）に対し蓋体（４）を螺合して開口（７）を塞いだ状態で、蓋体（４）の上面が回転リング体（６）の上縁と面一になることを特徴とする請求項１又は２に記載の容器。
【請求項４】
前記開閉ヒンジ（５）は、前記蓋体（４）又は回転リング体（６）の一方に設けられた連結部（１３）と、他方に設けられた接続ピン（１４）とを有し、前記連結部（１３）には接続ピン（１４）と嵌合する嵌合溝（１５）が設けられ、この嵌合溝（１５）が接続ピン（１４）に対して相対移動することで、前記蓋体（４）が回転リング体（６）に対して出退方向に移動可能となるように、前記嵌合溝（１５）が長く形成されていることを特徴とする請求項１〜３のいずれかに記載の容器。
【請求項５】
前記嵌合溝（１５）の内側には、接続ピン（１４）の複数の移動位置での位置決めを可能とする複数の位置決め部（１７ａ），（１７ｂ）が設けられているを特徴とする請求項４に記載の容器。
【請求項６】
前記蓋体（４）を開方向に揺動する際に揺動抵抗が次第に増大するように、接続ピン（１４）の幅が嵌合溝（１５）の幅より大に形成されていることを特徴とする請求項４又は５に記載の容器。
【請求項７】
前記開閉ヒンジ（５）は、基端部（２６）が前記蓋体（４）に固着され且つ先端部（２７）が回転リング体（６）に固着された舌片（１９）からなり、前記蓋体（４）が口部（３）を開閉する方向に揺動自在となるように、前記舌片（１９）には可撓性が具備されることを特徴とする請求項１〜３のいずれかに記載の容器。
【発明の詳細な説明】
【０００１】
【発明の属する技術分野】
本発明は、化粧品や香料等の内容物を収納するのに適した容器に関するものである。
【０００２】
【従来の技術】
化粧品や香料等の内容物を収納するのに適した容器としては、特開平１１−１９２１２３公報に記載された容器がある。
この容器は、図１４に示すように、口部６２に第１ネジ部６３を有する容器本体６１と、その容器本体６１の有する開口６５を閉蓋し、容器本体６１にネジ止め可能な第２ネジ部６７を有する蓋体６６と、前記蓋体６６と容器本体６１との間で関節部を形成することができるピン状の開閉ヒンジ６８とを有している。
【０００３】
この開閉ヒンジ６８の上端と蓋体６６は、接続ピン７０によりピン留め構造で接続され、そこを支点にして開方向（図１４の矢印Ｍ方向）に蓋体６６を揺動し開くことが可能となっている。開閉ヒンジ６８の下端には外周側に突出した摺動フランジ部６９が形成されており、この摺動フランジ部６９が容器本体６１の周方向に沿うように形成された断面上方開口の略Ｃ形のハウジング部６４に嵌り込み、ハウジング部６４にガイドされ摺動するようになっている。
容器本体６１の開口６５に蓋体６６が螺合することで閉蓋状態にある容器６０において、その蓋体６６を螺合状態が解除される方向に回動すると、開閉ヒンジ６８が蓋体６６に同伴し周方向に摺動しつつ移動すると共に、前記蓋体６６が上方に迫り上がってくる。その後、開閉ヒンジ６８の上端を支点として蓋体６６を開方向に揺動させることで揺動開蓋でき、内容物を取り出したりすることが可能となる。
【０００４】
【発明が解決しようとする課題】
しかしながら、螺合解除の際に、前記蓋体６６が上方に迫り上がることを可能とするため、開閉ヒンジ６８の摺動フランジ部６９はハウジング部６４の内部に上下方向に隙間をもって嵌り込んでおり、ハウジング部６４内を摺動する場合にガタついたりし蓋体６６をスムーズに回動させることができない等の不都合が起こっていた。
そこで、本発明は、上記問題点に鑑み、蓋体が螺合することで容器本体の口部の開口を密閉し、螺合又は螺合解除の際に、その蓋体を周方向にスムーズに回動させることが可能な容器を提供するようにしたものである。
【０００５】
【課題を解決するための手段】
この技術的課題を解決するための本発明の技術的手段は、口部３を有する容器本体２と、前記口部３と螺合する蓋周壁部３４を有しかつ口部３の開口７を塞ぐように口部３に着脱自在に螺合する蓋体４と、前記口部３に軸方向に不動のまま周方向に回動可能に嵌合保持され、かつ回動するときに蓋体４を同伴回動する回転リング体６とが備えられ、前記回転リング体６は口部３に螺合した蓋周壁部３４を外嵌するように口部３と略同一高さに形成され、前記口部３と蓋周壁部３４との間に、前記蓋周壁部３４を螺合により回転リング体６内に後退させ、螺合解除により回転リング体６内から外方へ突出させるネジ機構１１が設けられ、前記回転リング体６と蓋周壁部３４との間に、同伴回動するときに蓋体４を回転リング体６に対して上下動自在に連結し、かつ蓋体４を螺合解除したときに蓋体４を回転リング体６に対して口部３を開閉する方向に揺動自在に連結する開閉ヒンジ５が設けられている点にある。
【０００６】
また、本発明の他の技術的手段は、前記口部３の外周に沿って係止部９が形成され、前記回転リング体６に係合部１０が形成され、前記回転リング体６が口部３に対して軸方向に不動のままでかつ抜け止めされるように前記係止部９に係合部１０が係合されている点にある。
また、本発明の他の技術的手段は、前記口部３に対し蓋体４を螺合して開口７を塞いだ状態で、蓋体４の上面が回転リング体６の上縁と面一になる点にある。
また、本発明の他の技術的手段は、前記開閉ヒンジ５は、前記蓋体４又は回転リング体６の一方に設けられた連結部１３と、他方に設けられた接続ピン１４とを有し、前記連結部１３には接続ピン１４と嵌合する嵌合溝１５が設けられ、この嵌合溝１５が接続ピン１４に対して相対移動することで、前記蓋体４が回転リング体６に対して出退方向に移動可能となるように、前記嵌合溝１５が長く形成されている点にある。
【０００７】
また、本発明の他の技術的手段は、前記嵌合溝１５の内側には、接続ピン１４の複数の移動位置での位置決めを可能とする複数の位置決め部１７ａ，１７ｂが設けられている点にある。
また、本発明の他の技術的手段は、前記蓋体４を開方向に揺動する際に揺動抵抗が次第に増大するように、接続ピン１４の幅が嵌合溝１５の幅より大に形成されている点にある。
また、本発明の他の技術的手段は、前記開閉ヒンジ５は、基端部２６が前記蓋体４に固着され且つ先端部２７が回転リング体６に固着された舌片１９からなり、前記蓋体４が口部３を開閉する方向に揺動自在となるように、前記舌片１９には可撓性が具備される点にある。
【０００８】
【発明の実施の形態】
以下、本発明の実施の形態を図面に基づいて説明する。
図１〜３は本発明の容器１の第１実施形態を示すものである。
図１に示すように、本発明の容器１は、略円筒状の口部３を有する容器本体２と、口部３の開口７を塞ぐように口部３に着脱自在に螺合する蓋体４とを備えており、前記蓋体４は、口部３に外嵌している回転リング体６と開閉ヒンジ５を介して開き戸状に連結され、口部３を開閉する方向に揺動自在となっている。この口部３の内側には、ファンデーション、アイシャドー、口紅等の化粧品などの内容物が収納可能となっている。
【０００９】
容器本体２は、図１，２に示すように、略平面円形の形状を有しており、化粧品等の内容物を収納する収納凹部２４と、その収納凹部２４を取り囲む略円筒状の口部３から構成されている。
口部３の外周側には第１ネジ部２１が形成されていると共に、この第１ネジ部２１の下方（口部３に蓋体４が嵌まる方向）には、凸条の係止部９が外周上に連続で形成されている（環状係止部）。また、口部３の外周側で最下端には、径外方向に突出するフランジ部２３が形成されている。
【００１０】
このフランジ部２３により、容器本体２の下方は幅広となっているため、容器本体２を安定して机等の上に置くことが可能となる。
回転リング体６は、口部３と略同一の高さを有する略円筒状であり、前記口部３に外嵌している。回転リング体６の内周側には、前記凸条の係止部９に嵌合する凹条の係合部１０が環状に形成されている（環状係合部）。
さらに、回転リング体６には、その上縁の一部を下方に凹に切り欠いてなる切り欠き部２８が形成されている。この切り欠き部２８の上方（口部３から蓋体４がはずれる方向）には、断面略円形の細長い接続ピン１４が架け渡すように設けられている。
【００１１】
なお、この接続ピン１４は切り欠き部２８の上端に架設される構造となっているため、回転リング体６と一体に成形することが可能となっている。しかしながら、接続ピン１４のみ別途製作し、後付けで切り欠き部２８上端に取り付ける構造であっても何ら問題はない。
接続ピン１４が設けられている部位のほぼ反対側で、回転リング体６上縁で外側の一部には、面取りを施すことで形成された面取り部３０が設けられている。
前記回転リング体６は、前記口部３の凸条の係止部９に凹条の係合部１０が嵌り合うように、容器本体２の口部３に外嵌している。これにより、回転リング体６は口部３の周方向にスムーズに回動可能となり、且つ、口部３に嵌合保持されるようになる。また、凸条の係止部９に凹条の係合部１０が嵌り合うことで、回転リング体６は口部３から外れたり抜けたりすることも無くなる。さらに、口部３の下方に形成されているフランジ部２３は、前記回転リング体６が下方に抜け落ちることを防止する機能をも併せ持っている。
【００１２】
蓋体４は、前記口部３の開口７を塞ぐ略円形の蓋部３３を有しており、この蓋部３３の周縁には蓋周壁部３４が下方に突出する構成となっている。この蓋周壁部３４の内周側には第２ネジ部３６が形成されており、前記第１ネジ部２１と第２ネジ部３６は互いに螺合することでネジ機構１１を構成し、このネジ機構１１により、蓋体４が口部３に螺合し密閉することを可能としている。
前記蓋周壁部３４の一部には、外側に盛り上がった連結部１３が形成されている。この連結部１３には、周方向に貫通し且つ上下方向に長い嵌合溝１５が形成されている。この嵌合溝１５に前記回転リング体６に形成された接続ピン１４が嵌り込むことで開閉ヒンジ５が構成される。
【００１３】
蓋体４は、この開閉ヒンジ５を介して回転リング体６に開き戸状に接続され、蓋体４は口部３を開方向（図２の矢印Ｍ）に揺動自在に連結されると共に、閉方向（図２の矢印Ｎ）にも揺動自在に連結されることになる。さらに、蓋体４は開閉ヒンジ５を介して回転リング体６に接続されることで、回転リング体６と同伴して回動可能となり、蓋体４も口部３に対してその周方向にスムーズな回動が可能となる。
蓋部３３の内側には、口部３上縁と蓋部３３の内側に挟み込まれることで、蓋体４と口部３の螺合時（閉蓋時）の気密性を高める密閉部材３８が貼り付けてある。本実施形態の場合、密閉部材３８としてはゴムや防水加工を施された紙材を使用している。
【００１４】
なお、容器本体２の口部３に蓋体４が螺合しているとき、つまり閉蓋時の嵌合状況は図２に示すようなものである。すなわち、前記蓋体４は口部３に外嵌しており、さらに、その蓋体４を外嵌するように回転リング体６は配置されている。その上で、回転リング体６の下方において、前述のように凸条の係止部９に凹条の係合部１０が嵌り合うことで、口部３と回転リング体６が連結している。
したがって、閉蓋時の蓋体４は、回転リング体６の内側に嵌り込む構造となっており、前述のごとく回転リング体６と同伴可動可能であると共に、螺合解除時（開蓋時）に回転リング体６の内側を上方向（外方へ突出する方向）に摺動可能な構成となっている。
【００１５】
容器本体２、回転リング体６及び蓋体４はプラスチック等を材料とし、射出成形により一体に形成されているものであるが、この製造方法に限定されるものではない。強度を必要とするものであれば、鋼板材等の金属板材をプレス成形することで製作しても何ら問題はない。また、接続ピン１４のみを金属材で成型し、プラスチック等で成形された回転リング体６に嵌め込む構造であっても何ら問題はない。
次に、本実施形態における容器１の使用方法について述べる。
【００１６】
図２，３に示すように、まず、第１ネジ部２１と第２ネジ部３６が螺合状態にあるネジ機構１１により閉蓋状態となっている容器１において、回転リング体６を口部３に対して蓋体４の螺合が解除される方向に回動する（左回動する）。すると、この回転リング体６に蓋体４が同伴し左回動するため、前記ネジ機構１１の螺合が解除されると共に、ネジ機構１１を構成する第２ネジ部３６が第１ネジ部２１上を摺動しつつ上昇する。したがって、蓋体４は口部３に対して次第に上方へ移動し（外方へ突出し）開蓋状態になる。このとき、嵌合溝１５は上下方向に長いため、相対的に接続ピン１４が嵌合溝１５内を上から下方向に移動することで、蓋体４は回転リング体６に対して、スムーズに上方へ移動し迫り上がるように突出してくる。
【００１７】
開蓋後は、面取り部３０の箇所から指先で蓋体４を引っかけ、開閉ヒンジ５を支点として蓋体４を開方向に開ける（揺動開蓋する）ことで、簡単に収納部を取り出すことができるようになる。
蓋体４を閉じるときは前述の工程の逆を行えばよく、まず、蓋体４を開閉ヒンジ５を支点として閉方向に閉じる（揺動閉蓋する）。次に回転リング体６を蓋体４の螺合方向に回動する（右回動する）。すると、蓋体４は回転リング体６と同伴し右回動するため、蓋体４は口部３に螺合することになる。螺合が進むと共に、蓋体４は回転リング体６に対して下方に降下し（回転リング体６内に後退し）、蓋体４の上面と回転リング体６の上縁が面一になる。この状態では、蓋体４は口部３に密閉状態で閉蓋しているため、収納凹部２４に収納された内容物が漏れる等の不具合が生じることはない。
【００１８】
上述のように、本実施形態の容器１においては、蓋体４は口部３に第１ネジ部２１と第２ネジ部３６からなるネジ機構１１を介して螺合するため、密閉性を保ち収納凹部２４を閉蓋できることとなる。
また、開蓋のために左回動させるときも、蓋体４が連結している回転リング体６を左回動することでスムーズに回動させることができる。同様に閉蓋するために右回動させるときも、蓋体４が連結している回転リング体６を右回動することでスムーズにその回動を行うことができる。
【００１９】
回転リング体６を回動させた場合、蓋体４が回転リング体６に対して上下方向（出退方向）に移動し回転リング体６から突出したり後退したりする。このため、蓋体４が迫り上がる開蓋時には、目視のみでその開蓋を確認することも可能となる。蓋体４の上面と回転リング体６の上縁が面一となる閉蓋時には、子供等が不用意に蓋体４を開けることを防ぐ作用を奏する。
つまり、本実施形態の容器１は、揺動開閉蓋を行う蓋体４がもたらす開閉の利便性と、蓋体４と口部３が螺合することによる閉蓋時の密閉性の両方を持ち合わせるものである。また、蓋体４が回転リング体６に対して迫り上がった上で開閉ヒンジ５を支点とした揺動開閉を行うため、容器１自体に高級感を持たせることが可能となる。
【００２０】
次に本発明の第２実施形態について述べる。
図４に示すように、本発明の第２実施形態は、容器本体２、回転リング体６及び蓋体４自体は第１実施形態と同様であるが、蓋体４と回転リング体６を接続し同伴回動可能とする開閉ヒンジ５が異なっている。
すなわち、本実施形態における開閉ヒンジ５は、舌片（舌状の接続片）１９からなっており、この舌片１９はその基端部２６が前記蓋体４の蓋周壁部３４の外周下端に固着され、その先端部２７が回転リング体６の外周側に固着されている。また、この舌片１９は、蓋体４が口部３を開閉する方向に揺動自在となるような適度の可撓性を有している。
【００２１】
好ましくは、第１実施形態と同様に、回転リング体６にはその上縁の一部を下方に凹に切り欠いてなる切り欠き部２８を形成し、その下方に前記先端部２７を固着するとよい。この構成により、閉蓋時には切り欠き部２８に前記舌片１９が嵌り込むことになり、舌片１９が回転リング体６の上縁に引っ掛かかることを防ぐことができ、蓋体４が確実に口部３に嵌合できるようになる。
この開閉ヒンジ５で回転リング体６と接続されている蓋体４も、回転リング体６を左回動することにより同伴可動し、螺合解除され上方へ迫り上がってくる。また、回転リング体６の右回動により、蓋体４が下方に降下し、蓋体４の上面と回転リング体６の上縁が面一となる。
【００２２】
このように、蓋体４と回転リング体６が舌片１９により連結される構造であるために、蓋体４と回転リング体６と両者を接続する舌片１９を、プラスチック等で一体に成形することが可能となり、製造工程の簡略化や製造コストを下げることが可能となる。
次に、本発明に係る容器１の実施形態の変形例について述べる。
図６、７は第１実施形態における開閉ヒンジ５の変形例である。
図６において、嵌合溝１５の内側には、接続ピン１４の上下位置での位置決めを可能とする突起からなる位置決め部１７ａ，１７ｂが複数設けられている。すなわち、蓋体４が閉蓋状態であるときの接続ピン１４の位置を決める一対の位置決め部１７ａが、嵌合溝１５の上方に設けられており、蓋体４が開蓋状態であるときの接続ピン１４の位置を決める一対の位置決め部１７ｂが、嵌合溝１５の下方に設けられている。
【００２３】
これにより、蓋体４が回転リング体６から迫り上がった状態における嵌合溝１５内での接続ピン１４の位置と、蓋体４が回転リング体６の内側に入り込んだ状態における嵌合溝１５内での接続ピン１４の位置が明確に定まることになる。
また、閉蓋から開蓋もしくは開蓋から閉蓋に移行する場合に、接続ピン１４が前記突起からなる位置決め部１７ａ，１７ｂにより狭くなった嵌合溝１５内の空間を移動することとなるため、使用者は回転リング体６を回動し蓋体４を上下方向へ移動させる際に抵抗感（クリック感）を感ずることとなり、このクリック感により使用者に高級感を感じさせることが可能となる。
【００２４】
図７は、蓋体４を開方向に揺動する際に揺動抵抗が次第に増大するように、接続ピン１４の幅が嵌合溝１５の幅より大に形成されているものである。すなわち、接続ピン１４の断面は略楕円形であり、その長径は嵌合溝１５の幅より大であると共に嵌合溝１５の上下方向に向いている。一方、その短径は嵌合溝１５の幅より小となっている。
接続ピン１４がかかる形状であると、蓋体４が上下方向に移動する際には、接続ピン１４が嵌合溝１５に引っ掛かることなくスムーズに移動する。揺動開蓋をする場合には、図７の２点鎖線で示すように、断面略楕円の接続ピン１４の長径方向の端面が嵌合溝１５の内側に食い込むこととなるため、使用者は揺動開蓋時に抵抗感（クリック感）を感ずることとなる。このクリック感の発生により、使用時の高級感を醸し出させることが可能となる。
【００２５】
次に、第１及び第２実施形態における回転リング体６の変形例を示す。
図８は、回転リング体６の外周を径外方向に断面略円弧状に形成したものである。これにより、回転リング体６が外周に膨らみ部３９を有することになり、使用者が回転リング体６を回動する際に保持しやすくなると共に、意匠的に高級感をもたせることが可能となる。
図９は、蓋体４の蓋部３３の周縁が径外方向に突出した蓋フランジ部４１を形成し、閉蓋時に蓋フランジ部４１が回転リング体６の上方に覆い被さり嵌合するような構成としたものである。これにより、蓋体４を開ける際にこの蓋フランジ部４１に指先が引っ掛かることになるため、揺動開蓋が非常に容易になる。
【００２６】
図１０は、蓋体４が回転リング体６の内側に内嵌するのではなく、蓋体４とほぼ同径を有し、回転リング体６の上方に蓋体４が連なって配置される構成を有するものである。
上述の変形例のそれぞれにおいて、回転リング体６の機能は全く同じであるが、本発明の容器１は化粧品等を収納するものとして使用されるため、使用者に高級感を醸し出させることは重要なことである。そのため回転リング体６を意匠的に変形させることは非常に有益な作用効果をもたらす。
【００２７】
次に、第１及び第２実施形態における容器本体２の収納凹部２４を変形した例を示す。
図１１は、収納凹部２４を下方に大きく拡張し、クリーム等を収納するジャー４３の形状にしたものである。
ジャー４３形状の収納凹部２４には、保湿クリーム、クレンジングクリームやヘアワックスなどの内容物を多量に収納可能である。このようなクリームは一般に流動性を有しており、収納時には密閉して容器１に収納する必要があるため、本発明の容器１を使用することは非常に有効である。
【００２８】
図１２は、収納凹部２４を下方に大きく拡張し、クリーム等を収納するジャー４３形状にした上に、その内部で且つ口部３の内側にレフィル容器４４（詰め替え用容器）が取り付けられる構造にしたものである。
なお、本発明は、上記実施の形態に限定されるものではない。
例えば、本発明の容器１を、容器本体２の有する収納凹部２４の底を開口し、容器本体２を内蓋体４８としてボトル４５（瓶体）の口部４６に取り付けることで、ボトル４５のキャップ４７として利用しても何ら問題はない。
【００２９】
すなわち、図１３のようにボトル口部４６には内蓋体４８が外嵌するように取り付けてあり、その内蓋体４８の外周側には第１ネジ部２１が形成されている。この内蓋体４８の上面略中央には、内容物であるシャンプー、リンス、ローション、乳液等が排出される穴５０が形成されている。蓋部３３の内側中央には栓体４９が設けられており、この栓体４９が前記穴５０に嵌り込むことで内容物の滲出を防ぐ様になっている。
このキャップ４７においても、栓体４９を穴５０から抜き取る際は、回転リング体６を左回動することで、蓋体４を口部３から開蓋させ、さらに回転リング体６の上方へ突出した蓋体４を揺動開蓋させることにより、穴５０から栓体４９を抜けはずれさせる。
【００３０】
加えて、前述の工程を逆に行うことで、栓体４９を穴５０に嵌め込むことができる。
また、例えば、本実施形態の場合、容器１の収納物として化粧品を例示しているが、内容物はこれに限定されるものではなく、香料や医薬品、絵の具等の塗料であっても何ら問題はない。
また、容器本体２の口部３に、凸条の係止部９を設け、回転リング体６の内周側に、凹条の係合部１０を設けているが、逆に、回転リング体６の内周側に凸条の係止部９を設け、口部３に凹条の係合部１０を設けても何ら問題はない。
【００３１】
また、本実施形態の場合、係止部９は、口部３の外周上に連続で形成されているが、これに限定されるものではなく、一部に切りかきを有するものであってもかまわない。外周に沿って外周の一部に設けられているものであってもかまわない。同様に、係合部１０も、回転リング体６の内周壁に連続で形成されているが、これに限定されるものではなく、係止部９に嵌合する形態であれば、不連続に設けられているものであってもかまわない。すなわち、内周壁に沿って内周壁の一部に設けられているものであってもかまわない。
【００３２】
さらに、開閉ヒンジ５の構成として、回転リング体６に接続ピン１４を架設し、蓋体４に嵌合溝１５を有する連結部１３を形成しているが、その逆で、蓋体４に接続ピン１４を架設し、回転リング体６に嵌合溝１５を有する連結部１３を形成しても何ら問題はない。
さらにまた、第１実施形態の場合、蓋部３３の内側に、蓋体４と口部３の螺合時（閉蓋時）の気密性を高めるゴム等からなる密閉部材３８が貼り付けてある。しかし、閉蓋時の気密性を高めるものとしては、これに限定されるものではなく、図８に示すように、蓋部３３の内側に、リブ部３２を口部３に内接するようにリング状で設けることで閉蓋時の気密性を高めてもよい。
【００３３】
【発明の効果】
本発明の容器１によれば、蓋体４が螺合することで容器本体２の口部３の開口７を密閉し、螺合又は螺合解除の際に、その蓋体４を周方向にスムーズに回動させることが可能となる。
【図面の簡単な説明】
【図１】  本発明の第１実施形態を示す斜視図である。
【図２】  本発明の第１実施形態を示す側面断面図である。
【図３】  第１実施形態の使用方法を示す斜視図である。
【図４】  本発明の第２実施形態を示す斜視図である。
【図５】  本発明の第２実施形態を示す側面断面図である。
【図６】  第１実施形態における開閉ヒンジの一変形例を示す断面図である。
【図７】  第１実施形態における開閉ヒンジの一変形例を示す断面図である。
【図８】  本発明に係る回転リング体の一変形例を示す断面図である。
【図９】  本発明に係る回転リング体の一変形例を示す断面図である。
【図１０】  本発明に係る回転リング体の一変形例を示す断面図である。
【図１１】  本発明に係る収納凹部の一変形例を示す断面図である。
【図１２】  本発明に係る収納凹部の一変形例を示す断面図である。
【図１３】  本発明の容器をボトルキャップとして使用した状態を示す断面図である。
【図１４】  従来例を示す斜視図である。
【符号の説明】
１ 容器
２ 容器本体
３ 口部
４ 蓋体
５ 開閉ヒンジ
６ 回転リング体
７ 開口
９ 係止部
１０ 係合部
１１ ネジ機構
１３ 連結部
１４ 接続ピン
１５ 嵌合溝
１７ 位置決め部
１９ 舌片
【図１】
0003834256.tif 000002
【図２】
0003834256.tif 000003
【図３】
0003834256.tif 000004
【図４】
0003834256.tif 000005
【図５】
0003834256.tif 000006
【図６】
0003834256.tif 000007
【図７】
0003834256.tif 000008
【図８】
0003834256.tif 000009
【図９】
0003834256.tif 000010
【図１０】
0003834256.tif 000011
【図１１】
0003834256.tif 000012
【図１２】
0003834256.tif 000013
【図１３】
0003834256.tif 000014
【図１４】
0003834256.tif 000015